(57)【要約】【課題】アナログ回路に重畳するノイズを低減する。【解決手段】デジタルカメラは、基板４４と、基板４４に固定され、画像データを生成する信号処理部６と、信号処理部６により生成された画像データを記憶する外部メモリカード１５が着脱可能に装着されるカードソケット４０と、カードソケット４０に固定され、信号処理部６により生成された画像データを記憶する内蔵メモリ７とを備える。【選択図】図２
2012054774.tif 000002
【特許請求の範囲】
【請求項１】
基板と、
前記基板に固定され、画像データを生成する処理部と、
前記処理部により生成された画像データを記憶する外部メモリが着脱可能に装着される装着部と、
前記装着部に固定され、前記処理部により生成された画像データを記憶する内蔵メモリとを備える、撮像装置。
【請求項２】
前記装着部は、前記基板に固定される、請求項１に記載の撮像装置。
【請求項３】
前記内蔵メモリは、前記装着部の内部に埋め込まれる、請求項１または２に記載の撮像装置。
【発明の詳細な説明】
【技術分野】
【０００１】
本発明は、撮像装置に関し、特に、着脱可能な記憶媒体と、内蔵された記憶媒体とを備える撮像装置に関する。
【背景技術】
【０００２】
デジタルカメラおよびデジタルビデオカメラなどの撮像装置が知られている。デジタルカメラおよびデジタルビデオカメラにおいては、たとえば、ＣＣＤ（Charge Coupled Device）などの撮像素子を用いて画像データが取得される。取得された画像データは、必要に応じて処理された後、撮像装置に内蔵されたメモリおよびメモリカードなどの外部メモリに記憶される。
【０００３】
たとえばメモリカードは、撮像装置に設けられたカードソケットに対して着脱可能であるように装着される。内蔵メモリは、特開２００８−２３５５５６号公報の第２１段落および図１，２に記載のように、種々の電子機器とともに基板上に実装される。
【先行技術文献】
【特許文献】
【０００４】
【特許文献１】特開２００８−２３５５５６号公報
【発明の概要】
【発明が解決しようとする課題】
【０００５】
しかしながら、特開２００８−２３５５５６号公報に記載のように、種々の電子機器とともに内蔵メモリを基板上に固定すると、基板の限られたスペース内に、複数の電子機器と内蔵メモリとに加え、それらを相互に接続する配線を配置しなければならない。そのため、基板上にある撮像系のアナログ回路と、たとえば内蔵メモリに接続された配線（アナログ／データバスなど）とが近接し得る。この場合、内蔵メモリへのアクセスに伴なって発生するノイズがアナログ回路に重畳し得る。
【０００６】
本発明は、上述の課題を解決するためになされたものであって、その目的は、アナログ回路に重畳するノイズを低減することである。
【課題を解決するための手段】
【０００７】
撮像装置は、基板と、基板に固定され、画像データを生成する処理部と、処理部により生成された画像データを記憶する外部メモリが着脱可能に装着される装着部と、装着部に固定され、処理部により生成された画像データを記憶する内蔵メモリとを備える。
【発明の効果】
【０００８】
内蔵メモリは、基板上ではなく、外部メモリが装着される装着部に実装される。これにより、内蔵メモリの分だけ、基板上に配線を設けるためのスペースを増大することができる。そのため、内蔵メモリを基板上に配置した場合に比べて、基板上にある撮像系のアナログ回路と、内蔵メモリに接続される配線との距離を長くするように配線を配設することができる。その結果、アナログ回路に重畳するノイズを低減することができる。
【図面の簡単な説明】
【０００９】
【図１】撮像装置の一例の外観斜視図である。
【図２】図１のデジタルカメラの内部構成を説明するブロック図である。
【図３】カードソケットの斜視図である。
【図４】カードソケットの正面図である。
【発明を実施するための形態】
【００１０】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１１】
図１は、本実施の形態に係る撮像装置の一例の外観斜視図である。本実施の形態に係る撮像装置であるデジタルカメラ１００は、カメラ本体１１０を備える。なお、デジタルカメラ１００の代わりにデジタルビデオカメラを撮像装置として用いてもよい。その他、撮像装置の種類はデジタルカメラおよびデジタルビデオカメラに限らない。カメラを搭載した携帯電話および携帯端末などを撮像装置として用いてもよい。
【００１２】
カメラ本体１１０は、撮像レンズ１が内部に組み込まれたレンズ鏡筒３０を前面に有する。レンズ鏡筒３０は、沈胴式の鏡筒であり、２重に嵌合された可動鏡筒を有している。ユーザが電源ボタン３２をオンすると、駆動モータにより可動鏡筒は、図１に示す撮影状態位置までカメラ本体１１０から繰り出される。そして、この状態から電源ボタン３２をオフすると、駆動モータにより可動鏡筒は、カメラ本体１１０の内部に埋設され、いわゆる沈胴状態となる。
【００１３】
カメラ本体１１０の前面には、レンズ鏡筒３０の他に、ストロボ発光窓３８が設けられている。カメラ本体１１０の上面には、電源ボタン３２と、モードダイヤル３４と、レリーズボタン３６とが設けられている。さらに、底面には、デジタルカメラ１００への取付けおよびデジタルカメラ１００へからの取外しが可能な外部メモリカード（たとえばＳＤメモリカード）１５（図２）が着脱自在に装着されるカードソケット４０の挿入孔４２やＵＳＢコネクタを覆う開閉自在な蓋（図示せず）が設けられている。
【００１４】
モードダイヤル３４が回動操作されると、静止画撮影を行なう静止画撮影モード、動画撮影を行なう動画撮影モード、撮影した画像を表示器１３（図２）に表示する再生モード、および各種設定を行なう設定モードが切換えられる。
【００１５】
レリーズボタン３６は、２段階押しのスイッチとなっている。被写体のフレーミングの後に、レリーズボタン３６を軽く押圧（半押し）すると、露出条件の決定、自動焦点調整などの各種撮影準備処理が施される。この状態でレリーズボタン３６をもう一度強く押圧（全押し）すると、決定された露出条件、および調整された焦点距離の下で撮影が行なわれる。
【００１６】
図２は、図１のデジタルカメラ１００の内部構成を説明するブロック図である。
図２を参照して、デジタルカメラ１００は、撮像レンズ１と、絞り機構２と、撮像素子（ＣＣＤ）３と、ＣＤＳ／ＡＧＣ回路４と、Ａ／Ｄ変換器５と、信号処理部６と、内蔵メモリ（たとえば、ＳＤＲＡＭ：Synchronous Dynamic Random Access Memory）７と、画像処理部８と、画像圧縮・伸張処理部９と、ズーム処理部１０と、Ｄ／Ａ変換器１１と、ビデオエンコーダ１２と、表示器１３と、ストロボ装置１６と、ＣＰＵ２０と、操作部２１と、モータ駆動部２２と、ＣＣＤ駆動部２３と、カードソケット４０とを備える。
【００１７】
本実施の形態においては、種々の電子機器および電子回路とともに、カードソケット４０が、同一の基板４４上に実装される。たとえば、ＣＣＤ３と、ＣＤＳ／ＡＧＣ回路４と、Ａ／Ｄ変換器５と、信号処理部６と、画像処理部８と、画像圧縮・伸張処理部９と、ズーム処理部１０と、Ｄ／Ａ変換器１１と、ビデオエンコーダ１２と、ＣＰＵ２０と、モータ駆動部２２と、ＣＣＤ駆動部２３と、カードソケット４０とは、同一の基板４４上に実装される。なお、カードソケット４０とともに基板４４上に実装される電子機器および電子回路はこれらに限らない。ＣＣＤ３と、ＣＤＳ／ＡＧＣ回路４と、Ａ／Ｄ変換器５と、信号処理部６と、画像処理部８と、画像圧縮・伸張処理部９と、ズーム処理部１０と、Ｄ／Ａ変換器１１と、ビデオエンコーダ１２と、ＣＰＵ２０と、モータ駆動部２２と、ＣＣＤ駆動部２３とのうちの少なくともいずれか１つと、カードソケット４０とが、同一の基板４４上に実装されてもよい。
【００１８】
撮像レンズ１は、主レンズ１ａ、ズームレンズ１ｂ、およびフォーカスレンズ１ｃからなる。撮像レンズ１の背後には、絞り機構２が配置されている。ズームレンズ１ｂ、フォーカスレンズ１ｃおよび絞り機構２のそれぞれには、モータが接続されている。これらのモータは、ステッピングモータであり、ＣＰＵ２０に接続されたモータ駆動部２２から送信される駆動パルスにより動作制御される。
【００１９】
絞り機構２の背後には、ＣＣＤ３が配置されている。ＣＣＤ３には、ＣＰＵ２０によって制御されるタイミングジェネレータ（図示せず）が、ＣＣＤ駆動部２３を介して接続されている。ＣＣＤ駆動部２３は、タイミングジェネレータから入力されるタイミング信号に基づいて、ＣＣＤ３の各セルの蓄積電荷量と電荷読み出しタイミングとを制御する。
【００２０】
図２のデジタルカメラ１００において、被写界の光学像は、撮像レンズ１および絞り機構２を通してＣＣＤ３の受光面つまり撮像面に照射される。絞り機構２は、撮像レンズ１を通過する光の量を調整する。
【００２１】
ＣＣＤ３は、光電変換によって、撮像面に結像した被写界の光学像の明暗に対応する電荷つまりＲａｗ画像信号を生成する。なお、撮像素子には、ＣＣＤ以外にＣＭＯＳ（Complementary Metal-Oxide Semiconductor）が用いられる。
【００２２】
ＣＣＤ３の出力信号（ＲＧＢ信号）は、ＣＤＳ回路とＡＧＣ回路とを備えたＣＤＳ／ＡＤＣ回路４に送られる。ＣＤＳ／ＡＤＣ回路４に入力したＣＣＤ３の出力信号は、ＣＤＳ回路で相関二重サンプリング処理された後、ＡＧＣ回路で最適な振幅にゲイン調整される。ＣＤＳ／ＡＤＣ回路４の出力信号は、Ａ／Ｄ変換器５によってデジタル映像信号に変換される。Ａ／Ｄ変換器５によって得られたデジタル映像信号は信号処理部６に送られ、所定の信号処理（ホワイトバランス調整、色分離、ＹＵＶ変換など）が施されることにより、ＹＵＶ形式の画像データに変換される。信号処理部６によって生成された画像データは、デジタルカメラ１００の内蔵メモリ７または外部メモリカード１５に格納される。内蔵メモリ７または外部メモリカード１５に記憶された画像データは、表示器１３での再生のために内蔵メモリ７または外部メモリカード１５から読み出されたり、ＵＳＢ（Universal Serial Bus）を利用した接続を介してデジタルカメラ１００外の機器に転送するために内蔵メモリ７または外部メモリカード１５から読み出されたりし得る。記憶媒体の形式は、ＳＤＲＡＭおよびＳＤメモリカードに限られず、これら以外の任意の記憶媒体を用いてもよい。
【００２３】
内蔵メモリ７と外部メモリカード１５とは、相互にアドレス／データ（Ａ／Ｄ）バスおよびチップセレクト（ＣＳ）信号線が接続される。本実施の形態においては、内蔵メモリ７と外部メモリカード１５との間でのデータ転送が可能である。アドレス／データバスおよびチップセレクト信号線は、信号処理部６およびＣＰＵ２０などを含む信号処理回路とも接続される。
【００２４】
内蔵メモリ７または外部メモリカード１５への画像データの記録、内蔵メモリ７または外部メモリカード１５からの画像データの読み出し、および内蔵メモリ７と外部メモリカード１５との間での画像データの転送は、リード／ライト信号およびチップセレクト信号を用いて実現される。
【００２５】
上述したように、外部メモリカード１５は、カードソケット４０に着脱可能に装着される。内蔵メモリ７は、カードソケット４０に固定される。より具体的には、図３に示すように、カードソケット４０の内部に埋め込まれる。たとえば、図４に示すように、カードソケット４０の挿入孔４２と端面との間に形成された空間に、内蔵メモリ７が埋め込まれる。なお、内蔵メモリ７が固定される場所はこれらに限らない。
【００２６】
以上のように、本実施の形態においては、内蔵メモリ７は、基板４４上ではなく、外部メモリカード１５が装着されるカードソケット４０に実装される。これにより、内蔵メモリ７を実装するためのスペースを基板４４上に確保せずに、内蔵メモリ７をデジタルカメラ１００に実装することができる。そのため、内蔵メモリ７の分だけ電子機器を実装するために必要な基板４４上のスペースを削減することができる。
【００２７】
内蔵メモリ７を実装するためのスペースが削減されたため、内蔵メモリ７の分だけ、基板上に配線を設けるためのスペースを増大することができる。そのため、内蔵メモリ７を基板上に配置した場合に比べて、基板上にある、ＣＤＳ／ＡＤＣ回路４などのアナログ回路と、アドレス／データバスなどの配線との距離を長くするように、配線を配置することができる。その結果、アドレス／データバスにおいて発生するノイズによるアナログ回路への干渉を抑制することができる。
【００２８】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００２９】
１  撮像レンズ、２  絞り機構、３  撮像素子、４  ＣＤＳ／ＡＧＣ回路、５  Ａ／Ｄ変換器、６  信号処理部、７  内蔵メモリ、８  画像処理部、９  画像圧縮・伸張処理部、１０  ズーム処理部、１１  Ｄ／Ａ変換器、１２  ビデオエンコーダ、１３  表示器、１５  外部メモリカード、１６  ストロボ装置、２０  ＣＰＵ、２１  操作部、２２  モータ駆動部、２３  ＣＣＤ駆動部、３０  レンズ鏡筒、３２  電源ボタン、３４  モードダイヤル、３６  レリーズボタン、３８  ストロボ発光窓、４０  カードソケット、４２  挿入孔、４４  基板、１００デジタルカメラ。
【図１】
2012054774.tif 000003
【図２】
2012054774.tif 000004
【図３】
2012054774.tif 000005
【図４】
2012054774.tif 000006